(57)【特許請求の範囲】
【請求項１】
ペットの首部及び胴部に夫々巻回される首輪部及び胴輪部を備えたハーネスと、これら首輪部及び胴輪部の長さを調節可能な調節部材と、前記調節部材を介して前記ハーネスから延ばされたリードと、より構成され、
前記ハーネスとリードとが一体形成され、
前記ハーネスの首輪部と胴輪部とは、夫々独立されたテープ状の紐体に形成され、
前記首輪部及び胴輪部の一端は、環状の取付部材の両端に夫々固着されると共に、これら首輪部及び胴輪部の他端は、前記取付部材の中央部分に併設された２つの紐通し孔を同方向から夫々貫通して前記調節部材に延ばされたことを特徴とするリード付きハーネス。
【請求項２】
請求項１に記載のリード付きハーネスにおいて、
前記調節部材は、弾性力によって紐体に噛止して調節可能なクリップと、このクリップの位置を規制可能なストッパーとより構成され、
前記クリップは、前記紐体に噛止した状態であっても、首輪部及び胴輪部の方向にのみスライド可能にしたことを特徴とするリード付きハーネス。
【請求項３】
請求項１または請求項２に記載のリード付きハーネスにおいて、
胴輪部には、その一部を分離或いは連結可能なバックルが設けられたことを特徴とするリード付きハーネス。
【発明の詳細な説明】
【技術分野】
【０００１】
本発明は、犬、猫などのペットを散歩等に連れて行く際に用いるリードとハーネスとが一体形成されたリード付きハーネスに関する。
【背景技術】
【０００２】
一般に、犬、猫等のペットを散歩等に連れて行く際には、当該ペットの首に巻き付けられた首輪にリード（「引き紐」とも呼ばれる。）を連結したうえで、飼い主等が前記リードの端部に設けた取っ手を持って、前記ペットを散歩等させている。
【０００３】
ところが、前記首輪では、ペットの首周りの毛が摺れて抜けてしまい易いという問題があるため、最近では、前記首輪に代えて、ペットの首部及び胴部に夫々巻回される首輪部及び胴輪部を備えたハーネスが使用されつつあり、特に、子犬や猫などの小さなペットの場合には、前記ハーネスが使用されることが多い（例えば、特許文献１、２参照）。
【先行技術文献】
【特許文献】
【０００４】
【特許文献１】特許第３３８７０１９号公報
【特許文献２】特開２００４−２５４５３７号公報
【発明の概要】
【発明が解決しようとする課題】
【０００５】
しかしながら、従来のハーネスは、当該ハーネスと前記リードとが別個のものであるため、散歩等の使用の際には、前記ハーネスをペットの首部及び胴部に装着する作業と、装着した当該ハーネスに前記リードを更に連結する作業が必要であり、二度手間を要するという問題があった。
【０００６】
また、前記ハーネスを散歩等の度に一々装着することが面倒であるために、ペットに前記ハーネスを着けたままにしておけば、ペットにストレスを与えてしまうこととなり、特に、子犬や猫などの小さなペットの場合には、尚更である。
【０００７】
本発明は、かかる課題を解決することを目的とし、飼い主等が、ペットを散歩等に連れていく際に手間のかからないリード付きハーネスを提供する。
【課題を解決するための手段】
【０００８】
上記課題を解決するために、本発明は、ペットの首部及び胴部に夫々巻回される首輪部及び胴輪部を備えたハーネスと、これら首輪部及び胴輪部の長さを調節可能な調節部材と、前記調節部材を介して前記ハーネスから延ばされたリードと、より構成され、前記ハーネスとリードとが一体形成され、前記ハーネスの首輪部と胴輪部とは、夫々独立されたテープ状の紐体に形成され、前記首輪部及び胴輪部の一端は、環状の取付部材の両端に夫々固着されると共に、これら首輪部及び胴輪部の他端は、前記取付部材の中央部分に併設された２つの紐通し孔を同方向から夫々貫通して調節部材に延ばされたことを特徴にしている。
【０００９】
本発明では、ハーネスをペットに装着するだけで、同時にリードも装着されるので、飼い主等は、ペットを散歩等に連れて行く手間を軽減することができる。
【００１０】
一方、散歩等の必要時以外には、前記ハーネスを取り外した状態でペットを飼うことができるので、当該ペットにストレスをかけることも防止できる。
【００１１】
また、本発明のハーネスの首輪部と胴輪部とは、夫々独立されたテープ状の紐体に形成され、前記首輪部及び胴輪部の一端は、環状の取付部材の両端に夫々固着されると共に、これら首輪部及び胴輪部の他端は、前記取付部材の中央部分に併設された２つの紐通し孔を同方向から夫々貫通して調節部材に延びるように構成している。
【００１２】
このように、本発明では、首輪部と胴輪部を夫々独立した紐体によって形成されているので、前記首輪部と胴輪部の大きさを夫々独立して調節することができ、例えば、体型の異なるペットに応じて容易にサイズを合わせることができる。
【００１３】
そのため、例えば、複数のペットを飼っている場合でも、１つのリード付きハーネスを夫々のペットのサイズに合わせて兼用できるので、ペットに応じたハーネスを探す手間が不要であるうえ、経済的である。
【００１４】
また、本発明の調節部材は、弾性力によって紐体に噛止して調節可能なクリップと、このクリップの位置を規制可能なストッパーとより構成され、前記クリップは、前記紐体に噛止した状態であっても、首輪部及び胴輪部の方向にのみスライド可能にしたことを特徴にしている。
【００１５】
本発明では、クリップが、紐体に噛止した状態であっても、前記首輪部及び胴輪部の方向に向けてのみスライドさせることができるので、当該クリップを首輪部及び胴輪部の方向にスライドさせるだけで、首輪部及び胴輪部の大きさを素早く縮めて調節できる。
【００１６】
一方、前記クリップの弾性力に抗して当該クリップを押さえながら、前記紐体への噛止を解放すれば、当該クリップを首輪部及び胴輪部の逆方向に移動できる。
【００１７】
そのため、万一、クリップのスライド操作によって、首輪部及び胴輪部の大きさを縮め過ぎても、直ぐに解放することができるので安全である。
【００１８】
そして、首輪部及び胴輪部の大きさを調節した後、前記クリップの位置に合わせて、ストッパーを当該クリップに接合するように移動すれば、当該ストッパーがクリップを首輪部及び胴輪部の逆方向に移動することを規制できるので、首輪部及び胴輪部の調節後の大きさを維持することができる。
【００１９】
そのため、散歩中等にペットの首部又は胴部が、ハーネスの首輪部又は胴輪部から抜け外れたりすることを確実に防止できる。
【００２０】
また、本発明の胴輪部には、その一部を分離又は連結自在なバックルが設けられたことを特徴にしている。
【００２１】
そのため、装着し難いペットの胴体にも、予め分離したバックルを連結するだけで、胴輪部をワンタッチで素早く装着できる。
【発明の効果】
【００２２】
本発明のリード付きハーネスによれば、ハーネスをペットに装着するだけで、同時にリードも装着されるので、ペットを散歩等に連れていく手間を軽減できる。
【図面の簡単な説明】
【００２３】
【図１】本発明のリード付きハーネスＡの一実施形態を示した全体図である。
【図２】（ａ）〜（ｃ）は、本実施形態の取付部材の一例を示した平面図、中央縦断面図、斜視図である。
【図３】（ａ）〜（ｃ）は、本実施形態のクリップの一例を示した平面図、正面構造図、取付状態図である。
【図４】（ａ）、（ｂ）は、本実施形態のストッパーの一例を示した斜視図、中央縦断面図である。
【図５Ａ】（ａ）、（ｂ）は、本実施形態の製造例を示した工程図である。
【図５Ｂ】（ｃ）、（ｄ）は、本実施形態の製造例を示した工程図である。
【図５Ｃ】（ｅ）は、本実施形態の製造例を示した工程図である。
【図６Ａ】（ａ）、（ｂ）は、本実施形態の使用例を示した使用状態図である。
【図６Ｂ】（ｃ）、（ｄ）は、本実施形態の使用例を示した使用状態図である。
【図６Ｃ】（ｅ）は、本実施形態の使用例を示した使用状態図である。
【発明を実施するための形態】
【００２４】
以下、本発明の一実施形態を図面に基づいて説明する。
【００２５】
図１は、本発明のリード付きハーネスＡの一実施形態を示した全体図である。
【００２６】
図２（ａ）〜（ｃ）は、本実施形態の取付部材の一例を示した平面図、中央縦断面図、斜視図であり、図３（ａ）〜（ｃ）は、本実施形態のクリップの一例を示した平面図、正面構造図、取付状態図であり、図４（ａ）、（ｂ）は、本実施形態のストッパーの一例を示した斜視図、中央縦断面図である。
【００２７】
ここで、図１〜図４において共通する部位には、同一の符号を付して、重複する説明については省略している。
【００２８】
本実施形態のリード付きハーネスＡは、ペットの首部及び胴部に夫々巻回される首輪部１１及び胴輪部１２を備えたハーネス１と、これら首輪部１１及び胴輪部１２の長さを調節可能な調節部材２と、この調節部材２を介してハーネス１から延ばされたリード３と、より構成され、これらハーネス１とリード３とが一体形成されている。
【００２９】
すなわち、ハーネス１の首輪部１１と胴輪部１２とは、夫々独立された２本のテープ状の紐体１０、２０によって形成されており、これら紐体１０、２０が延ばされてリード３を形成している。
【００３０】
具体的には、首輪部１１及び胴輪部１２を形成する紐体１０、２０の一端は、取付部材４の両端に夫々固着されている。
【００３１】
取付部材４は、金属・合成樹脂・硬質ゴム等により一体形成されており、本実施形態では、図２に示すように、略矩形の環状に形成された枠リング４１の長辺中央に、仕切片４２を枠リング４１の短辺方向に架設し、この仕切片４２と略間隔をあけて、外方に湾曲された湾曲片部４３が仕切片４２に併設され、仕切片４２と２つの湾曲片部４３によって２つの紐通し孔４４を形成している。
【００３２】
紐通し孔４４は、紐体１０、２０を貫通する大きさに形成されていれば良いが、当該紐通し孔４４を紐体１０、２０よりも僅かに大きな略長方形状に形成しておけば、紐通し孔４４を通じた紐体１０、２０の捩れを防止できるため好ましい。
【００３３】
また、胴輪部１２には、その一部を分離或いは連結可能なバックル５が設けられている。
【００３４】
バックル５は、胴輪部１２の適所に設けられていれば良く、このようなバックル５を設けることで、装着し難いペットの胴体にも、例えば、予め分離したバックル５を連結するだけで、当該胴輪部１２をワンタッチで素早く装着できる。
【００３５】
そして、取付部材４の紐通し孔４４を通じた紐体１０、２０は、調節部材２を介してリード３へと延ばされている。
【００３６】
調節部材２は、弾性力によって紐体１０、２０に噛止して調節可能なクリップ２１と、このクリップ２１の位置を一方向に規制可能なストッパー２２とより構成され、クリップ２１は、首輪部１１及び胴輪部１２から延びる紐体１０、２０に噛止した状態であっても、これら首輪部１１及び胴輪部１２の方向にのみスライド可能にしている。
【００３７】
本実施形態のクリップ２１は、図３に示すように、金属・合成樹脂等で形成された２つの挟み部材２１ａが対向して配置され、夫々の挟み部材２１ａを軸２１ｂで枢支し、この軸２１ｂに弾性部材であるバネ２１ｃを取り付けて構成している。
【００３８】
具体的には、挟み部材２１ａは、略矩形状を有する基板２１ａａの両側から略直角方向に両側片２１ａｂが延設された側面視略三角形状に形成されている。
【００３９】
そして、２つの挟み部材２１ａは、夫々の両側片２１ａｂの一部が重合されると共に、この重合された両側片２１ａｂの一端を軸２１ｂで枢支し、この軸２１ｂにバネ２１ｃを取り付けることで、クリップ２１は側面視略三角形状に形成されている。
【００４０】
そのため、クリップ２１の頂部には、バネ２１ｃの弾性力によって、基板２１ａの一端同士が接合する方向に弾性付勢される噛止部２１ｄが形成され、この噛止部２１ｄで紐体１０、２０を噛止するようにしている。
【００４１】
一方、クリップ２１の噛止部２１ｄの他端側、すなわち、挟み部材２１ａの基板２１ａの他端同士を近づけるように押圧すれば、噛止部２１ｃがバネ２１ｃの弾性力に抗して離間されて紐体１０、２０の噛止が解放される。
【００４２】
また、ストッパー２２は、図４に示すように、合成樹脂、ゴム等で形成された四角筒状に形成され、当該ストッパー２２の貫通孔２２ａは、重合された紐体１０、２０が略貫通する程度の大きさに形成されており、ストッパー２２は、重合された紐体１０、２０の長さ方向にスライド自在にされている。
【００４３】
このように構成された本実施形態のリード付きハーネスＡは、例えば、以下の要領で製造することができる。
【００４４】
図５Ａ（ａ）〜図５Ｃ（ｅ）は、本実施形態のリード付きハーネスＡの製造例を示した工程図である。
【００４５】
ここで、図１〜図４と共通する部位には、同一の符号を付して、重複する説明については省略している。
【００４６】
先ず、紐体１０、２０の一端を、取付部材４の両端に各々折り返して、その折り返し端部が縫着される〔図５Ａ（ａ）、参照。〕。
【００４７】
次に、紐体１０、２０の他端を、取付部材４の同じ側から各々紐通し孔４４を貫通させて、首輪部１１及び胴輪部１２が形成される〔図５Ａ（ｂ）、参照。〕。
【００４８】
なお、胴輪部１２の適所には、バックル５が設けられている。
【００４９】
そして、この取付部材４を貫通した紐体１０、２０の他端は、クリップ２１及びストッパー２２の順に貫通されている。
【００５０】
具体的には、側面視略三角形状のクリップ２１の向きは、軸２１ｂが取付部材４側に向くように配置され、紐体１０、２０は、軸２１ｂの両側を各々通って、クリップ２１の噛止部２１ｄを通じて貫通されている。
【００５１】
次に、クリップ２１を貫通した紐体１０、２０の他端は、両者を重合させた状態にしてストッパー２２の貫通孔２２ａに貫通されている〔図５Ａ（ｂ）、図５Ｂ（ｃ）、参照。〕。
【００５２】
そして、ストッパー２２を貫通した一方の紐体１０の他端は、ストッパー２２と同一に形成された止め具２３の外側から折り返して貫通させると共に、その折り返し端部は、当該紐体１０に縫着されている。
【００５３】
また、止め具２３には、他方の紐体２０が、折り返さずに、そのまま貫通されている〔図５Ｂ（ｄ）、参照。〕。
【００５４】
最後に、止め具２３を貫通した紐体２０は、その端部を折り返して当該紐体２０に逢着することで、リング状の取っ手３１を形成すれば、本実施形態のリード付きハーネスＡを製造することができる。
【００５５】
なお、本実施形態は一例に過ぎず、本実施形態以外の製造工程によってリード付きハーネスＡを製造することも勿論可能である。
【００５６】
このようにして製造された本実施形態のリード付きハーネスＡは、例えば、以下の要領で、使用される。
【００５７】
図６Ａ（ａ）〜図６Ｃ（ｅ）は、本実施形態のリード付きハーネスＡの使用例を示した使用状態図である。
【００５８】
ここで、図１〜図５（ｅ）と共通する部位には、同一の符号を付して、重複する説明については省略している。
【００５９】
先ず、バックル５を分離した状態にすると共に、ハーネス１の首輪部１１を十分に広げた状態にして、当該首輪部１１をペットの頭部から被せる〔図６Ａ（ａ）、参照。〕。
【００６０】
次に、胴輪部１２をペットの胴部に周回させたうえで，分離されているバックル５を連結させる〔図６Ａ（ｂ）、参照。〕。
【００６１】
そして、クリップ２１をハーネス１側に向けてスライドさせると、首輪部１１及び胴輪部１２の大きさが、ペットの首部及び胴部に応じて縮められ、やがて当該ペットの首部及び胴部にピッタリと対応される〔図６Ｂ（ｃ）、参照。〕。
【００６２】
このとき、首輪部１１又は胴輪部１２の何れか一方だけを縮める必要があれば、首輪部１１に連続している紐体１０又は胴輪部１２に連続している紐体２０の何れか一方だけを引っ張れば、首輪部１１又は胴輪部１２の微調節を行うことができる。
【００６３】
最後に、首輪部１１及び胴輪部１２の大きが調節された後、ストッパー２２をクリップ２１の噛止部２１ｄに接合するように移動すれば、クリップ２１は、首輪部１１及び胴輪部１２の逆方向に移動することが規制され、首輪部１１及び胴輪部１２の調節後の大きさを維持することができる。
【００６４】
このようにして、ハーネス１をペットに装着すれば、このハーネス１と一体形成されているリード３も同時に装着されるので、飼い主等は、リード３の取っ手３１を掴んで、ペットを素早く散歩等に連れて行くことができる。
【００６５】
以上の通り、本実施形態のリード付きハーネスＡによれば、ハーネス１をペットに装着するだけで、同時にリード３も装着されるので、飼い主等は、ペットを散歩等に連れていく手間を軽減できる。
【００６６】
また、散歩等の必要時以外には、前述とは逆の要領にして、ハーネス１を簡単に取り外すことができ、ペットにもストレスをかけることなく飼うことができるのである。
【符号の説明】
【００６７】
Ａ    リード付きハーネス
１    ハーネス
１１    首輪部
１２    胴輪部
１０、２０  紐体
２    調節部材
２１    クリップ
２２    ストッパー
３    リード
４    取付部材
４４    紐通し孔
５    バックル
【図１】
0005568323.tif 000002
【図２】
0005568323.tif 000003
【図３】
0005568323.tif 000004
【図４】
0005568323.tif 000005
【図５Ａ】
0005568323.tif 000006
【図５Ｂ】
0005568323.tif 000007
【図５Ｃ】
0005568323.tif 000008
【図６Ａ】
0005568323.tif 000009
【図６Ｂ】
0005568323.tif 000010
【図６Ｃ】
0005568323.tif 000011